(57)【要約】【課題】太股や鼠径部などの施術に適合する機能性を備えた施術用パンツを提供する。【解決手段】太股への手技を含む施術に際し、ウエストから太股までの範囲を覆うために着用する施術用パンツであって、前身頃５１、５２と後身頃６１、６２とを備え、前身頃及び後身頃は、股下部分の縁部５１３、６１３、５２３、６２３のみが相互に接合されるとともに、ウエストを囲む縁部に相互の係合手段（ホックボタン）を有し、前身頃５１、５２及び後身頃６１、６２の身幅が、前身頃及び後身頃の側縁部が互いに重なった状態で太股を覆う寸法に設定されている。このパンツは、前身頃及び後身頃の側縁部が接合されていないため、施術者は、前身頃及び後身頃の側縁部の間から手を差し入れて太股への手技を施すことができる。また、太股の内側や鼠径部への手技は、必要に応じてホックボタンを解放して行うこともできる。【選択図】図３
2012132132.tif 000002
【特許請求の範囲】
【請求項１】
太股への手技を含む施術に際し、ウエストから太股までの範囲を覆うために着用する施術用パンツであって、
前身頃と後身頃とを備え、
前記前身頃及び後身頃は、股下部分の縁部のみが相互に接合されるとともに、ウエストを囲む縁部に相互の係合手段を有し、
前記前身頃及び後身頃の身幅が、前記前身頃及び後身頃の側縁部が互いに重なった状態で太股を覆う寸法に設定されていることを特徴とする施術用パンツ。
【請求項２】
請求項１に記載の施術用パンツであって、前記係合手段が、ウエストを囲む周縁長さの異なる複数の箇所で係合可能であることを特徴とする施術用パンツ。
【請求項３】
請求項１または２に記載の施術用パンツであって、前記係合手段が、ホックボタンであることを特徴とする施術用パンツ。
【請求項４】
請求項１または２に記載の施術用パンツであって、前記係合手段が、面ファスナーであることを特徴とする施術用パンツ。
【請求項５】
請求項１から４のいずれかに記載の施術用パンツであって、前記後身頃の身幅が、前記前身頃の身幅より長いことを特徴とする施術用パンツ。
【請求項６】
請求項１から５のいずれかに記載の施術用パンツであって、前記前身頃及び後身頃が布から成ることを特徴とする施術用パンツ。
【請求項７】
請求項１から５のいずれかに記載の施術用パンツであって、前記前身頃及び後身頃が紙から成ることを特徴とする施術用パンツ。
【発明の詳細な説明】
【技術分野】
【０００１】
本発明は、マッサージなどの施術を受ける被施術者が施術時に着替えるパンツに関し、手技による施術が容易に実施できるようにしたものである。
【背景技術】
【０００２】
医療機関で治療や検査を受けたり、マッサージや整体の施術を受けたりするとき、予め用意された専用の着衣に着替える場合がある。こうした着衣は、治療・検査や施術が円滑に実施できるように、機能面での工夫が施されている。
【０００３】
図７は、下記特許文献１に開示された、カテーテルを鼠径部などから挿入する患者のために開発された治療・検査用パンツを示している。このパンツは、図７（ｂ）に示すように、陰部を覆う陰部覆布片１３が延設された後面側布片１４と、左身頃布片１１と、右身頃布片１２とから成り、後面側布片１４の左右に左身頃布片１１と右身頃布片１２とが接合されている。（この明細書では、便宜上、紙面の右にあるのを右身頃、左にあるのを左身頃と呼ぶことにする。）
治療・検査の開始前または終了後の患者は、図７（ａ）に示すように、陰部覆布片１３で陰部を覆い、右身頃布片１２及び左身頃布片１１を、それらの一部が前面で重なるように身体に巻き付けて着用する。
右身頃布片１２及び左身頃布片１１の重なる箇所には面ファスナー２４（２４ａ、２４ｂ）が取り付けられ、また、右身頃布片１２及び左身頃布片１１の縁部には仮止めテープ２１、２２が取り付けられている。着用時には、面ファスナー２４ａ、２４ｂを接合し、右身頃布片１２と陰部覆布片１３とを仮止めテープ２２で接合し、さらに、左身頃布片１１と右身頃布片１２及び陰部覆布片１３とを仮止めテープ２１で接合することにより、トランクス型のパンツ形状が維持される。
【０００４】
治療・検査時には、面ファスナー２４や仮止めテープ２１、２２の接合を開放して、患者の術野を露出させる。
また、陰部覆布片１３、右身頃布片１２及び左身頃布片１１には、身体への接着テープ３２、３３、３４、４１が取り付けられており、この接着テープ３２、３３、３４、４１を身体の方に向けて陰部覆布片１３、右身頃布片１２または左身頃布片１１を身体に貼り付けることで、露出が不要な身体部分を隠すことができる。
【先行技術文献】
【特許文献】
【０００５】
【特許文献１】特開２００１−１７４６４号公報
【発明の概要】
【発明が解決しようとする課題】
【０００６】
しかし、マッサージや整体の施術を受ける際に着替える施術用着衣は、これまでＴシャツやトレーニングパンツに類するものが多く用いられており、施術の実行を容易にする機能性と、被施術者のおしゃれ感覚を満足させるデザイン性とを兼ね備えた着衣が少ない実情にある。
【０００７】
特に、女性を対象とする整体では、太股の外側や内側、鼠径部などの施術箇所にアロマオイルを塗り、手で押したり揉んだりして、その部分のツボや経絡に刺激を与える施術が行われているが、これまでの施術用パンツは、それを穿いたままで施術箇所にオイルを塗ったり、手技を施したりすることが難しい。
そのため、パンツを下げて施術箇所を露出させているが、パンツの上げ下げに時間を取られ、施術時間が長くなるという問題点がある。また、パンツを下げることで被施術者に羞恥心を抱かせると言う問題点がある。
【０００８】
本発明は、こうした事情を考慮して創案したものであり、太股や鼠径部などの施術に適合する機能性を備えた施術用パンツを提供することを目的としている。
【課題を解決するための手段】
【０００９】
本発明は、太股への手技を含む施術に際し、ウエストから太股までの範囲を覆うために着用する施術用パンツであって、前身頃と後身頃とを備え、前身頃及び後身頃は、股下部分の縁部のみが相互に接合されるとともに、ウエストを囲む縁部に相互の係合手段を有し、前身頃及び後身頃の身幅が、前身頃及び後身頃の側縁部が互いに重なった状態で太股を覆う寸法に設定されていることを特徴とする。
このパンツは、前身頃及び後身頃の側縁部が接合されていないため、施術者は、前身頃及び後身頃の側縁部の間から手を差し入れて太股への手技を施すことができる。また、太股の内側や鼠径部への手技は、必要に応じて係合手段を解放して行うこともできる。
【００１０】
また、本発明の施術用パンツでは、係合手段が、ウエストを囲む周縁長さの異なる複数の箇所で係合可能である。
そのため、このパンツは、ウエストサイズが異なる複数の被施術者が、穿くことができる。
【００１１】
また、本発明の施術用パンツでは、係合手段として、ホックボタンや面ファスナーを用いることができる。
これらの係合手段を用いれば、係合手段の係合や解放を短時間で行うことができる。
【００１２】
また、本発明の施術用パンツでは、後身頃の身幅を前身頃の身幅より長くすることが望ましい。
こうすることで、係合手段の係合位置が身体の前寄りに来るので、係合や解放の操作が容易になる。
【００１３】
また、本発明の施術用パンツは、前身頃や後身頃を布や紙で形成することができる。
【発明の効果】
【００１４】
本発明の施術用パンツは、それを着用した被施術者が立って移動する場合、前身頃と後身頃の側縁部が重なっているため、ウエストから太股の間の範囲を完全に隠すことができる。
このパンツを着用した被施術者が施術台上で横になった状態では、前身頃と後身頃の側縁部の間が接合されていないため、側縁部を折り返したり、あるいは側縁部の間から手を差し入れたりして、太股への手技を容易に行うことができる。
また、太股の内側や鼠径部への施術のために係合手段の解放が必要な場合、施術者は、簡単な操作で係合手段を解放することができる。
このパンツは、構造が簡単で、デザイン的にも優れている。
【図面の簡単な説明】
【００１５】
【図１】本発明の実施形態に係る施術用パンツを構成する裁断片を示す図
【図２】図１の裁断片から形成した前身頃及び後身頃を示す図
【図３】図２の前身頃及び後身頃の股下部分の縁部を縫い合わせた図
【図４】本発明の実施形態に係る施術用パンツの前面図
【図５】図４の施術用パンツの後面図
【図６】図４の施術用パンツの側縁を開いた図
【図７】従来の治療・検査用パンツを示す図
【発明を実施するための形態】
【００１６】
本発明の実施形態に係る施術用パンツは、図１に示すように、前身頃５０が、布地を裁断して形成した左前身頃５１及び右前身頃５２と、伸縮性を備えた弾性ベルト５３とから構成され、後身頃６０が、布地を裁断して形成した左後身頃６１及び右後身頃６２と、弾性ベルト６３とから構成される。
左前身頃５１と右前身頃５２とは対称であり、左後身頃６１と右後身頃６２とは対称である。左前身頃５１と右前身頃５２とを合わせた身幅は、左後身頃６１と右後身頃６２とを合わせた身幅よりも短い。
【００１７】
前身頃５０用の弾性ベルト５３の長さは、左前身頃５１のウエスト側の縁部５１１と右前身頃５２のウエスト側の縁部５２１とを合わせた長さに等しく、後身頃６０用の弾性ベルト６３の長さは、左後身頃６１のウエスト側の縁部６１１と右後身頃６２のウエスト側の縁部６２１とを合わせた長さに等しい。
前身頃５０用の弾性ベルト５３の両端には、それぞれ係合用の二つのホックボタン５３１、５３２が位置をずらして取り付けられている。
また、後身頃６０用の弾性ベルト６３の両端には、それぞれ係合用の一つのホックボタン６３１が取り付けられている。
【００１８】
図２に示すように、前身頃５０は、左前身頃５１の股上の縁部５１２と、右前身頃５２の股上の縁部５２２とが縫い合わされ、また、左前身頃５１のウエスト側の縁部５１１と右前身頃５２のウエスト側の縁部５２１とに弾性ベルト５３が縫い合わされて構成される。
また、後身頃６０は、左後身頃６１の股上の縁部６１２と、右後身頃６２の股上の縁部６２２とが縫い合わされ、また、左後身頃６１のウエスト側の縁部６１１と右後身頃６２のウエスト側の縁部６２１とに弾性ベルト６３が縫い合わされて構成される。
【００１９】
さらに、図３に示すように、左前身頃５１の股下の縁部５１３と左後身頃６１の股下の縁部６１３とが縫い合わされ、右前身頃５２の股下の縁部５２３と右後身頃６２の股下の縁部６２３とが縫い合わされて施術用パンツは完成する。
図４は、後身頃６０の弾性ベルト６３のホックボタン６３１を前身頃５０の弾性ベルト５３のホックボタン５３１に嵌めて平面上に置いた施術用パンツの前側を示している。また、図５は、その後ろ側を示している。
【００２０】
この施術用パンツは、前身頃５０と後身頃６０の股下部分の縁部（５１３と６１３、５２３と６２３）のみが接合されている。
被施術者は、この施術用パンツを着用するとき、前身頃５０が身体の前側に、後身頃６０が後ろ側に来るように装着し、後身頃６０の弾性ベルト６３のホックボタン６３１を、自身のウエストのサイズに応じて、前身頃５０の弾性ベルト５３のホックボタン５３１または５３２に嵌める。
【００２１】
前身頃５０及び後身頃６０の丈を、被施術者のウエストから太股までを覆う長さに設定し、また、前身頃５０及び後身頃６０の身幅を、前身頃及び後身頃の側縁部（５１４と６１４及び５２４と６２４）が互いに重なった状態で太股を覆う寸法に設定しておけば、被施術者のウエストから太股までの部分は、この施術用パンツを着用することで完全に覆われ、被施術者が立って移動するときでも、この部分は隠されている。
【００２２】
しかし、前身頃５０の側縁部５１４、５２４と後身頃６０の側縁部６１４、６２４とは接合されていないため、被施術者が施術台に寝た施術時の状態では、図６に示すように、前身頃５０や後身頃６０の側縁部を折り返して太股の露出部分にアロマオイルを塗ることも、前身頃５０の側縁部と後身頃６０の側縁部との間から手を差し入れて手技を実行することも可能である。
また、太股の内側や鼠径部に施術を行う場合、必要があれば、弾性ベルト５３、６３のホックボタンを外し、前身頃５０や後身頃６０を大きく折り返して、手技を実行することもできる。ホックボタンの係合解除は、短時間で操作できる。
【００２３】
この施術用パンツは、前身頃５０の身幅よりも後身頃６０の身幅の方が長いので、ホックボタン５３１、５３２、６３１の位置が身体の前側に来る。そのため、被施術者は、この施術用パンツに着替えるとき、ホックボタンの結合や解除の操作が容易である。
また、前身頃５０のホックボタン５３１、５３２が複数箇所に設けられているため、後身頃６０のホックボタン６３１の結合位置を、ウエストのサイズに応じて選択できる。
また、前身頃５０と後身頃６０とのウエスト側の縁部を係合する係合手段には、ホックボタンの代わりに、面ファスナーなどを用いてもよい。
【００２４】
ここでは、前身頃５０及び後身頃６０を布で形成する場合について説明したが、紙の素材を用いて、使い捨てるようにしても良い。
なお、ここで示した施術用パンツの形状や各身頃の結合手順などは一例であって、本発明は、それに限定されない。
【産業上の利用可能性】
【００２５】
本発明の施術用パンツは、太股への手技を含むマッサージや整体などの施術に用いて、施術の効率化を図り、被施術者の羞恥による心理的負担を軽減することができる。
【符号の説明】
【００２６】
５０    前身頃
５１    左前身頃
５２    右前身頃
５３    弾性ベルト
６０    後身頃
６１    左後身頃
６２    右後身頃
６３    弾性ベルト
５１１  左前身頃のウエスト側縁部
５１２  左前身頃の股上縁部
５１３  左前身頃の股下縁部
５１４  左前身頃の側縁部
５２１  右前身頃のウエスト側縁部
５２２  右前身頃の股上縁部
５２３  右前身頃の股下縁部
５２４  右前身頃の側縁部
５３１  ホックボタン
５３２  ホックボタン
６１１  左後身頃のウエスト側縁部
６１２  左後身頃の股上縁部
６１３  左後身頃の股下縁部
６１４  左後身頃の側縁部
６２１  右後身頃のウエスト側縁部
６２２  右後身頃の股上縁部
６２３  右後身頃の股下縁部
６２４  右後身頃の側縁部
６３１  ホックボタン
【図１】
2012132132.tif 000003
【図２】
2012132132.tif 000004
【図３】
2012132132.tif 000005
【図４】
2012132132.tif 000006
【図５】
2012132132.tif 000007
【図６】
2012132132.tif 000008
【図７】
2012132132.tif 000009